(57)【要約】【課題】認証情報の類推を困難にすることが可能な認証情報入力装置を提供する。【解決手段】記憶手段（130）から選択されたユーザの認証を許可する際に必要な組数の各々の認証画像グループに属す一対の認証画像データを少なくとも含んで構成する表示パターンを表示する表示手段（110）と、表示手段（110）に表示された表示パターンを構成する画像データの中からユーザ操作により選択された少なくとも一対の画像データを、ユーザの認証を許可する際に使用する認証情報として入力する入力手段（110）と、を有し、入力手段（110）により入力された認証情報を構成する一対の画像データが同一の認証画像グループに属し、且つ、同一の認証画像グループに属すとされた一対の画像データの組数がユーザの認証を許可する際に必要な組数である場合に、ユーザの認証が許可される、ことを特徴とする。【選択図】図１
2014032556.tif 000002
【特許請求の範囲】
【請求項１】
ユーザ自身の記憶に基づき認証に必要な複数の認証画像データを順に選択することで認証情報を入力する認証情報入力装置であって、
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを表示する表示手段と、
前記表示手段に表示された前記表示パターンを構成する画像データの中からユーザ操作により選択された少なくとも一対の画像データを、前記ユーザの認証を許可する際に使用する認証情報として入力する入力手段と、を有し、
前記入力手段により入力された前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証が許可される、ことを特徴とする認証情報入力装置。
【請求項２】
前記表示手段は、
前記ユーザの認証が許可された場合は、前記表示手段に表示された前記表示パターンとは異なる表示パターンを表示し、
前記ユーザの認証が許可されない場合は、前記表示手段に表示された前記表示パターンと同じ表示パターンを表示する、ことを特徴とする請求項１記載の認証情報入力装置。
【請求項３】
前記認証画像グループを記憶する第１の記憶手段と、
前記表示パターンを構成する際に使用する画像データを記憶する第２の記憶手段と、を有し、
前記表示手段は、
前記第１の記憶手段から選択された、前記ユーザの認証を許可する際に必要な組数の各々の前記認証画像グループに属す一対の前記認証画像データと、
前記第１の記憶手段に記憶されている前記一対の前記認証画像データの属す前記認証画像グループ以外の前記認証画像グループと、前記第２の記憶手段と、の少なくとも一方から選択された、前記認証画像データ以外で前記表示パターンを構成するために必要な数の画像データと、で構成する前記表示パターンを表示し、
前記認証画像グループからは１グループで１つの前記画像データのみが選択される、ことを特徴とする請求項１または請求項２記載の認証情報入力装置。
【請求項４】
前記入力手段により入力された前記認証情報と、前記第１の記憶手段に記憶されている情報と、を照合し、前記入力手段により入力された前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証を許可する認証手段を有することを特徴とする請求項３記載の認証情報入力装置。
【請求項５】
前記入力手段により入力された前記認証情報を前記認証情報入力装置と接続されたサーバ装置に送信する送信手段を有し、
前記入力手段により入力された前記認証情報を構成する一対の画像データが同一の認証画像グループに属し、且つ、同一の認証画像グループに属すとされた前記一対の画像データの組数が前記ユーザの認証を許可する際に必要な組数である前記認証情報を前記送信手段により前記サーバ装置に送信した場合に、前記サーバ装置側で前記ユーザの認証が許可される、ことを特徴とする請求項１または請求項２記載の認証情報入力装置。
【請求項６】
認証情報入力装置と接続されたサーバ装置であって、
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを前記認証情報入力装置に送信する送信手段と、
前記認証情報入力装置側の表示手段に表示された前記表示パターンを構成する画像データの中からユーザ操作により選択された少なくとも一対の画像データを、前記ユーザの認証を許可する際に使用する認証情報として前記認証情報入力装置側の入力手段に入力された前記認証情報を受信する受信手段と、
前記受信手段により受信した前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証を許可する認証手段と、
を有することを特徴とするサーバ装置。
【請求項７】
認証情報入力装置と、サーバ装置と、を有して構成する認証システムであって、
前記サーバ装置は、
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを前記認証情報入力装置に送信する送信手段と、
前記認証情報入力装置側の表示手段に表示された前記表示パターンを構成する画像データの中からユーザ操作により選択された少なくとも一対の画像データを、前記ユーザの認証を許可する際に使用する認証情報として前記認証情報入力装置側の入力手段に入力された前記認証情報を受信する受信手段と、
前記受信手段により受信した前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証を許可する認証手段と、
前記認証情報入力装置は、
前記サーバ装置から受信した前記表示パターンを表示する前記表示手段と、
前記表示手段に表示された前記表示パターンを構成する画像データの中からユーザ操作により選択された少なくとも一対の画像データを、前記ユーザの認証を許可する際に使用する認証情報として入力する入力手段と、
前記入力手段に入力された前記認証情報を前記サーバ装置に送信する送信手段と、
を有することを特徴とする認証システム。
【請求項８】
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを表示手段に表示する表示処理と、
前記表示手段に表示された前記表示パターンを構成する画像データの中からユーザ操作により選択された少なくとも一対の画像データを、前記ユーザの認証を許可する際に使用する認証情報として入力手段に入力する入力処理と、を、コンピュータに実行させ、
前記入力処理により入力された前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証が許可される、ことを特徴とするプログラム。
【請求項９】
認証情報入力装置と接続されたサーバ装置のコンピュータに実行させるプログラムであって、
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを前記認証情報入力装置に送信する送信処理と、
前記認証情報入力装置側の表示手段に表示された前記表示パターンを構成する画像データの中からユーザ操作により選択された少なくとも一対の画像データを、前記ユーザの認証を許可する際に使用する認証情報として前記認証情報入力装置側の入力手段に入力された前記認証情報を受信する受信処理と、
前記受信処理により受信した前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証を許可する認証処理と、を、コンピュータに実行させることを特徴とするプログラム。
【発明の詳細な説明】
【技術分野】
【０００１】
本発明は、ユーザ自身の記憶に基づきユーザが識別可能な画像データを用いて認証を行う技術に関する。
【背景技術】
【０００２】
正規のユーザか否かを認証する技術として、ユーザ側がタッチパネル等の画面を操作して暗証番号等の認証情報を入力し、該入力した認証情報と、システム側に予め設定した認証情報と、を照合することで、正規のユーザか否かを認証する技術がある。しかし、この場合、ユーザ側がタッチパネル等を操作して認証情報を入力する際に、その認証情報を第三者に盗み見されてしまうおそれがある。
【０００３】
認証情報を第三者に盗み見されるのを防止する方法としては、例えば、認証情報を入力するタッチパネル等の画面の視野角を狭くしたり、入力した認証情報を『*』印等で画面に表示して入力桁数だけを示すようにしたりする方法がある。
【０００４】
また、特許文献１（特許第2985888号公報）には、金融自動機（ATM）などの端末から利用者がテンキーを使って暗証番号を入力する暗証番号入力装置の技術について開示されている。上記特許文献１では、入力テンキー画面と偽の入力テンキー画面とをディスプレイに表示し、ダミー番号か暗証番号かのどちらを入力して欲しいかをユーザに指示する情報を偽の入力テンキー画面に提示し、暗証番号にダミー番号を嵌め込ませるようにすることで、暗証番号の入力時に暗証番号を第三者に盗み見されるのを防止している。
【０００５】
また、特許文献２（特開2005-71202号公報）には、システム側電子機器に組込んだ記録媒体によるシステム認証情報と、ユーザの個人入力操作による個人認証情報と、を使用して、ユーザ個人とアクセス対象のシステム側電子機器とを相互に認証する技術について開示されている。上記特許文献２では、個人認証情報を示す個人認証用データと、システム認証情報を示すサーバ認証用データと、の２組の認証用データを登録設定し、サーバ認証用データによるサーバ側認証と、個人認証用データによるユーザ側認証と、を交互に実施することにしている。また、個人認証用データとサーバ認証用データとに画像データを活用している。
【先行技術文献】
【特許文献】
【０００６】
【特許文献１】特許第２９８５８８８号公報
【特許文献２】特開２００５−７１２０２号公報
【発明の概要】
【発明が解決しようとする課題】
【０００７】
しかし、上記特許文献１などに開示されている技術は、金融自動機（ATM）など、第三者がある程度離れた距離の場所にいることを想定したものであり、至近距離から第三者に見られた場合の対策についてまで考慮されたものではない。このため、例えば、暗証番号を入力しているユーザの肩越しや隠しカメラなどにより、暗証番号を入力しているユーザの手の動きだけでなく、暗証番号を入力した画面そのものまで見られてしまう場合には、どの入力がダミー番号であるかが識別されてしまい、暗証番号が第三者にわかってしまうおそれがある。
【０００８】
なお、上記特許文献２では、サーバ認証用データによるサーバ側認証と、個人認証用データによるユーザ側認証と、を交互に実施しているため、全ての認証情報が第三者に瞬時にわかってしまうのをある程度は防止することができる。しかし、注視された場合に認証情報を防止することができるわけではない。しかも、システム側電子機器との認証操作を複数回行う必要があり、認証操作に手間がかかると共に、認証完了までに時間がかかってしまう。
【０００９】
本発明は、上記事情に鑑みてなされたものであり、認証情報の入力時にユーザの手元や認証情報が入力された画面を第三者に見られてしまった場合でも、認証情報の類推を困難にすることが可能な認証情報入力装置、サーバ装置、認証システム及びプログラムを提供することを目的とする。
【課題を解決するための手段】
【００１０】
かかる目的を達成するために、本発明は、以下の特徴を有する。
【００１１】
＜認証情報入力装置＞
本発明にかかる認証情報入力装置は、
ユーザ自身の記憶に基づき認証に必要な複数の認証画像データを順に選択することで認証情報を入力する認証情報入力装置であって、
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを表示する表示手段と、
前記表示手段に表示された前記表示パターンを構成する画像データの中からユーザ操作により選択された少なくとも一対の画像データを、前記ユーザの認証を許可する際に使用する認証情報として入力する入力手段と、を有し、
前記入力手段により入力された前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証が許可される、ことを特徴とする。
【００１２】
＜サーバ装置＞
本発明にかかるサーバ装置は、
認証情報入力装置と接続されたサーバ装置であって、
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを前記認証情報入力装置に送信する送信手段と、
前記認証情報入力装置側の表示手段に表示された前記表示パターンを構成する画像データの中からユーザ操作により選択された少なくとも一対の画像データを、前記ユーザの認証を許可する際に使用する認証情報として前記認証情報入力装置側の入力手段に入力された前記認証情報を受信する受信手段と、
前記受信手段により受信した前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証を許可する認証手段と、
を有することを特徴とする。
【００１３】
＜認証システム＞
本発明にかかる認証システムは、
認証情報入力装置と、サーバ装置と、を有して構成する認証システムであって、
前記サーバ装置は、
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを前記認証情報入力装置に送信する送信手段と、
前記認証情報入力装置側の表示手段に表示された前記表示パターンを構成する画像データの中からユーザ操作により選択された少なくとも一対の画像データを、前記ユーザの認証を許可する際に使用する認証情報として前記認証情報入力装置側の入力手段に入力された前記認証情報を受信する受信手段と、
前記受信手段により受信した前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証を許可する認証手段と、
前記認証情報入力装置は、
前記サーバ装置から受信した前記表示パターンを表示する前記表示手段と、
前記表示手段に表示された前記表示パターンを構成する画像データの中からユーザ操作により選択された少なくとも一対の画像データを、前記ユーザの認証を許可する際に使用する認証情報として入力する入力手段と、
前記入力手段に入力された前記認証情報を前記サーバ装置に送信する送信手段と、
を有することを特徴とする。
【００１４】
＜プログラム＞
本発明にかかるプログラムは、
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを表示手段に表示する表示処理と、
前記表示手段に表示された前記表示パターンを構成する画像データの中からユーザ操作により選択された少なくとも一対の画像データを、前記ユーザの認証を許可する際に使用する認証情報として入力手段に入力する入力処理と、を、コンピュータに実行させ、
前記入力処理により入力された前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証が許可される、ことを特徴とする。
【００１５】
本発明にかかるプログラムは、
認証情報入力装置と接続されたサーバ装置のコンピュータに実行させるプログラムであって、
ユーザ自身の記憶に基づき当該ユーザが識別可能な少なくとも２つ以上の認証画像データを含んで構成する認証画像グループを前記ユーザの認証を許可する際に必要な組数以上記憶する記憶手段から選択された前記ユーザの認証を許可する際に必要な組数の各々の前記認証画像グループに属す一対の前記認証画像データを少なくとも含んで構成する表示パターンを前記認証情報入力装置に送信する送信処理と、
前記認証情報入力装置側の表示手段に表示された前記表示パターンを構成する画像データの中からユーザ操作により選択された少なくとも一対の画像データを、前記ユーザの認証を許可する際に使用する認証情報として前記認証情報入力装置側の入力手段に入力された前記認証情報を受信する受信処理と、
前記受信処理により受信した前記認証情報を構成する一対の画像データが同一の認証画像グループに属し、且つ、同一の認証画像グループに属すとされた前記一対の画像データの組数が前記ユーザの認証を許可する際に必要な組数である場合に、前記ユーザの認証を許可する認証処理と、を、コンピュータに実行させることを特徴とする。
【発明の効果】
【００１６】
本発明によれば、認証情報の入力時にユーザの手元や認証情報が入力された画面を第三者に見られてしまった場合でも、認証情報の類推を困難にすることができる。
【図面の簡単な説明】
【００１７】
【図１】本実施形態の認証情報入力装置100の構成例を示す図である。
【図２】表示パターン10の構成例を示す図である。
【図３】表示パターン10の登録処理動作例を示す図である。
【図４】第１の実施形態のユーザ認証時の処理動作例を示す図である。
【図５】ユーザ認証時の具体例を説明するための第１の図である。
【図６】ユーザ認証時の具体例を説明するための第２の図である。
【図７】第２の実施形態のユーザ認証時の処理動作例を示す図である。
【図８】認証システムのシステム構成例を示す図である。
【図９】第３の実施形態のユーザ認証時の処理動作例を示す第１の図である。
【図１０】第３の実施形態のユーザ認証時の処理動作例を示す第１の図である。
【発明を実施するための形態】
【００１８】
（本発明にかかる認証情報入力装置100の実施形態の概要）
まず、図１、図２を参照しながら、本発明にかかる認証情報入力装置100の概要について説明する。
【００１９】
本発明にかかる認証情報入力装置100は、ユーザ自身の記憶に基づき認証に必要な複数の認証画像データを順に選択することで認証情報を入力する認証情報入力装置100である。
【００２０】
本発明にかかる認証情報入力装置100は、ユーザ自身の記憶に基づき当該ユーザが識別可能な少なくとも２つ以上の認証画像データを含んで構成する認証画像グループをそのユーザの認証を許可する際に必要な組数以上記憶する記憶部130から選択されたユーザの認証を許可する際に必要な組数の各々の認証画像グループに属す一対の認証画像データを少なくとも含んで構成する表示パターン10を表示する表示部（表示入力部110に相当）と、表示部110に表示された表示パターン10を構成する画像データの中からユーザ操作により選択された少なくとも一対の画像データを、ユーザの認証を許可する際に使用する認証情報として入力する入力部（表示入力部110に相当）と、を有し、入力部110により入力された認証情報を構成する一対の画像データが同一の認証画像グループに属し、且つ、同一の認証画像グループに属すとされた一対の画像データの組数がユーザの認証を許可する際に必要な組数である場合に、ユーザの認証が許可される、ことを特徴とする。
【００２１】
ユーザの認証は、入力部110により入力された認証情報を構成する一対の画像データが同一の認証画像グループに属すか否かと、同一の認証画像グループに属すとされた一対の画像データの組数がユーザの認証を許可する際に必要な組数か否かと、の判定から決定され、入力部110により入力された認証情報を構成する一対の画像データが同一の認証画像グループに属し、且つ、同一の認証画像グループに属すとされた一対の画像データの組数がユーザの認証を許可する際に必要な組数である場合に、ユーザの認証が許可される。なお、本発明において一対の画像データとは、通常、２つのペアの画像データを意味するが、それ以上でも固定数であればよい。
【００２２】
本発明にかかる認証情報入力装置100は、表示部110に表示された表示パターン10を構成する画像データの中からユーザ操作により選択された少なくとも一対の画像データを、ユーザの認証を許可する際に使用する認証情報として入力部110に入力し、その入力部110に入力された認証情報に基づいて、その認証情報を構成する一対の画像データが同一の認証画像グループに属すか否かと、同一の認証画像グループに属すとされた一対の画像データの組数がユーザの認証を許可する際に必要な組数か否かと、から、ユーザの認証が許可されるため、効率的に認証を行うことができる。また、ユーザは、ユーザ自身が記憶している認証画像グループを順に想起し、その認証画像グループに属す一対の画像データをユーザ操作により選択していくだけでよいため、ユーザにとっても簡単な操作で認証を行うことができる。
【００２３】
また、本発明にかかる認証情報入力装置100は、ユーザの認証が許可された場合は、次回のユーザ認証時は、表示部110に表示された表示パターン10とは異なる一対の認証画像データを含む表示パターン10を表示するため、認証情報の入力時にユーザの手元や認証情報が入力された画面を第三者に見られてしまった場合でも、前回と同じ入力をすることができず、また、認証情報の類推を困難にさせることができる。
【００２４】
本発明にかかる認証情報入力装置100がタッチパネル式の携帯端末である場合は、電車の中や人ごみの中などで認証情報を入力することも考えられる。この場合、ユーザが認証情報を入力している際に、ユーザの手元や、認証情報を入力した画面などを至近距離から第三者に見られてしまう可能性がある。また、初心者や高齢者などは、認証情報の入力操作が非常にゆっくりであることが考えられる。この場合、ユーザの手元の動きや認証情報が入力された画面を容易に第三者に見られて記憶されてしまう可能性がある。
【００２５】
しかし、本発明にかかる認証情報入力装置100は、ユーザの認証が許可された場合は、次回のユーザ認証時は、表示部110に表示された表示パターン10とは異なる一対の認証画像データを含む表示パターン10を表示するため、ユーザの手元や認証情報が入力された画面を第三者に見られてしまった場合でも、前回と同じ入力をすることができず、また、認証情報の類推を困難にさせることができる。但し、ユーザは、ユーザ自身の記憶に基づき認証画像グループに属する一対の認証画像データを識別することができるため、ユーザ自身の記憶に基づき認証に必要な認証画像グループに属す一対の画像データを選択することで認証情報を入力することができる。以下、添付図面を参照しながら、本発明にかかる認証情報入力装置100の実施形態について詳細に説明する。
【００２６】
（第１の実施形態）
＜認証情報入力装置100の構成例＞
まず、図１を参照しながら、本実施形態の認証情報入力装置100の構成例について説明する。
【００２７】
本実施形態の認証情報入力装置100は、表示入力部110と、制御部120と、記憶部130と、を有して構成する。
【００２８】
表示入力部110は、タッチパネル等で構成し、情報の表示や入力を行う。本実施形態の表示入力部110は、複数の画像データで構成する図２に示す表示パターン10を表示する。そして、その表示した表示パターン10を構成する画像データに対してユーザ操作が行われた場合に、そのユーザ操作が行われた画像データの位置を検出し、その検出した位置情報に基づいて、表示パターン10を構成する画像データの中からどの画像データがユーザ操作によって選択されたかを判別する。
【００２９】
図２に示す表示パターン10は、ユーザの認証を許可する際に必要な組数（３組）の各々の認証画像グループに関連付けられた一対（２個）の画像データ（認証画像データ）（６個）と、それ以外の画像データ（ダミー画像データ）（１０個）と、の合計１６個の画像データで構成している。６個の認証画像データは、同一の認証画像グループに属している一対の画像データの組を３組有して構成している。１０個のダミー画像データは、ダミー画像グループに属している画像データや、上記の認証画像データの属する認証画像グループ以外の認証画像グループに属している画像データで構成している。但し、認証画像データの属する認証画像グループ以外の認証画像グループに属している画像データで構成するダミー画像データの場合は、同一の認証画像グループに属している一対の画像データを構成しないように、１組の認証画像グループから１個の画像データを選択する必要がある。これにより、認証画像データに用いられたことがある画像データを第三者が何度か盗み見て記憶していたとしても、その盗み見て記憶した画像データがダミー画像データになることがあるため、セキュリティを向上させることができる。
【００３０】
ユーザは、ユーザ自身の記憶に基づいて、図２に示す表示パターン10を構成する１６個の画像データの中から同一の認証画像グループに属している一対の画像データ（認証画像データ）を順に３組選択し、合計６個の画像データ（認証画像データ）を認証情報として表示入力部110に入力する。例えば、表示パターン10を構成する１６個の画像データの中から順に選択した１番目と２番目との一対の画像データを１つ目の組とし、３番目と４番目との一対の画像データを２つ目の組とし、５番目と６番目との一対の画像データを３つ目の組とするなどのようにペアの画像データを選択して入力する。なお、他の方法で組を指定することも可能である。
【００３１】
本実施形態の認証情報入力装置100は、表示入力部110に入力した認証情報を基に、認証が成功した場合は、次回のユーザ認証時は、表示入力部110に表示した表示パターン10とは異なる表示パターン10を表示入力部110に表示する。また、認証が成功しなかった場合は、次回のユーザ認証時は、表示入力部110に表示した表示パターン10と同じ表示パターン10を表示入力部110に表示する。
【００３２】
制御部120は、表示入力部110に表示する表示パターン10の表示制御を行う。また、表示入力部110からユーザ操作により入力された認証情報の認証制御を行う。本実施形態の制御部120は、パターン制御部121と、認証部122と、を有して構成する。
【００３３】
パターン制御部121は、図２に示す表示パターン10を複数生成し、該生成した表示パターン10をパターンテーブル134に記憶する。また、パターンテーブル134に記憶した複数の表示パターン10の中から１つの表示パターン10を選択して表示入力部110に表示する。
【００３４】
認証部122は、表示入力部110に表示された図２に示す表示パターン10を構成する画像データの中からユーザ操作により選択された少なくとも一対の画像データで構成する認証情報を表示入力部110から受け付けた場合に、認証画像グループテーブル132に記憶されている認証画像グループを参照し、認証情報を構成する画像データの中で同一の認証画像グループに属さない単独の画像データがあるか否かを照合する。このようにすることで、認証情報を構成する画像データが組毎に順不同に入力されても照合することができる。例えば、表示入力部110から受け付けた認証情報に基づいて、その認証情報を構成する一対の画像データが同一の認証画像グループに属すか否かと、同一の認証画像グループに属すとされた一対の画像データの組数がユーザの認証を許可する際に必要な組数か否かと、を判定することで、表示入力部110から受け付けた認証情報を構成する画像データの中で同一の認証画像グループに属さない単独の画像データがあるか否かを照合することができる。
【００３５】
記憶部130は、画像データを記憶する画像テーブル131と、少なくとも２つの画像データで構成する認証画像グループを記憶する認証画像グループテーブル132と、少なくとも１つの画像データで構成するダミー画像グループを記憶するダミー画像グループテーブル133と、表示パターン10を記憶するパターンテーブル134と、を有している。
【００３６】
画像テーブル131は、表示パターン10を構成する画像データを記憶する。画像データは、画像IDと関連付けて記憶する。
【００３７】
認証画像グループテーブル132は、認証情報を構成する画像データ（認証画像データ）を管理する認証画像グループを記憶する。認証画像グループテーブル132には、少なくとも、ユーザ認証を許可する際に必要な組数の認証画像グループを記憶すると共に、各グループに一対の画像データを記憶する。本実施形態では、ユーザ認証を許可する際に必要な組数は、３組であるため、少なくとも３組の認証画像グループを認証画像グループテーブル132に記憶する。また、各認証画像グループには、ユーザ自身の記憶に基づき当該ユーザが識別可能な少なくとも一対（２個）の認証画像データを記憶する。
【００３８】
認証画像グループは、ユーザ自身の記憶に基づきユーザが識別可能な画像データで構成するグループであり、図２に示すように、グループIDと、画像IDと、を対応付けて管理する。グループIDは、認証画像グループを識別するための情報であり、画像IDは、画像データを識別するための情報である。
【００３９】
認証画像グループとしては、例えば、自分個人に関連する画像データのグループを登録する。
この場合、例えば、小学生の頃の写真データ、幼稚園の頃の写真データ、赤ちゃんの時の写真データを自分自身の写真データグループとする。
また、担任の先生の写真データ、親友の写真データを自分に関連する人物の写真データグループとする。
また、小学校の校舎の写真データ、初めて買って貰ったグローブの写真データ、初めて買ったレコードジャケットの写真データなどを自分に関連するモノの写真データグループとする。
また、小学校の時によく遊んだ公園の写真データ、修学旅行で行った旅行先の風景写真データ、引っ越す前に住んでいた自宅周辺の写真データなどを自分に関連する場所の写真データグループとする。
これにより、自分個人に関連する画像データで構成する４組の認証画像グループを認証画像グループテーブル132に登録することができる。この場合、認証画像グループテーブル132に登録した４組の認証画像グループの中から、任意の３組の認証画像グループを選択し、その選択した３組の各々の認証画像グループに属す一対（２個）の認証画像データを少なくとも含んで、上述した図２に示す表示パターン10が生成されることになる。
【００４０】
ダミー画像グループテーブル133は、表示パターン10を構成するために必要な画像データ（ダミー画像データ）を管理するためのダミー画像グループを記憶する。
【００４１】
ダミー画像グループは、ユーザの認証を許可する際にユーザによる選択をされてはならない画像データで構成するグループであり、グループIDと、画像IDと、を対応付けて管理する。この画像データは、認証画像グループと区別できないようにするために、自分以外の自分に無関係の人物の写真データや、自分に無関係のモノや場所の写真データを含めて構成することが好ましい。グループIDは、ダミー画像グループを識別するための情報である。
【００４２】
パターンテーブル134は、表示入力部110に表示する表示パターン10を複数記憶する。表示パターン10は、所定以上の個数を生成してパターンテーブル134に登録して記憶しておくことになる。
【００４３】
＜表示パターン10の登録処理動作例＞
まず、図３を参照しながら、表示パターン10の登録処理動作例について説明する。なお、以下の処理動作を行う前に、ダミー画像グループがダミー画像グループテーブル133に登録されているものとする。
【００４４】
ユーザは、ユーザ自身の記憶に基づき当該ユーザが識別可能な画像データを画像テーブル131に登録する（ステップS1）。この場合、パターン制御部121は、ランダムな画像IDを画像データに割り振り、画像データと画像IDとを対応付けて画像テーブル131に記憶することが好ましい。これは、画像データの登録順に連番の画像IDを割り振ると、画像IDの連続する画像データが同じ認証画像グループに属する確率が高くなってしまうためである。このため、ランダムな画像IDを画像データに割り振ることで、連続した画像IDの画像データが同一の認証画像グループに属す確率を低くすることができる。画像テーブル131には、少なくとも、認証情報を構成する画像データの総個数の画像データを登録する必要がある。本実施形態では、表示入力部110に入力される認証情報は、６個の画像データで構成するため、６個の画像データを登録する必要がある。
【００４５】
次に、ユーザは、画像テーブル131に登録した画像データを基に認証画像グループを生成し、該生成した認証画像グループを認証画像グループテーブル132に登録する（ステップS2）。認証画像グループは、少なくとも、ユーザ認証を許可する際に必要な組数（３組）を登録する。また、各認証画像グループには、少なくとも一対（２個）の画像IDを登録する。本実施形態では、表示入力部110に入力される認証情報は、６個の画像データで構成するため、少なくとも３組の認証画像グループを認証画像グループテーブル132に登録する。また、各認証画像グループには、少なくとも一対（２個）の画像IDを登録する。認証画像グループは、グループIDと、画像IDと、を対応付けて管理する。
【００４６】
次に、パターン制御部121は、ユーザ認証を許可する際に必要な組数（３組）の認証画像グループを、認証画像グループの中から選択する。そして、その選択した各認証画像グループに属している画像IDの中から一対（２個）の画像IDを各認証画像グループ毎にランダムに選択する。また、表示パターン10を構成するために必要な残りの画像IDをダミー画像グループテーブル133に記憶されているダミー画像グループの中から任意に選択する。なお、残りの画像IDは、上記処理で認証画像グループテーブル132から選択しなかった残りの認証画像グループに属している画像IDから選択することも可能である。但し、この場合は、１つの認証画像グループから１個の画像IDを選択する必要がある。次に、上記選択した画像IDの表示位置を任意に決定し、該決定した表示位置に画像IDに対応する画像データを設定し、表示パターン10を生成する。これにより、図２に示す表示パターン10を生成することができる。パターン制御部121は、上記生成した表示パターン10をパターンテーブル134に登録する（ステップS3）。パターン制御部121は、表示パターン10を所定以上の個数だけ生成し、パターンテーブル134に登録して記憶しておく。
【００４７】
これにより、パターン制御部121は、複数の表示パターン10をパターンテーブル134に登録して記憶することができる。
【００４８】
＜ユーザ認証時の処理動作例＞
次に、図４を参照しながら、ユーザ認証時の処理動作例について説明する。
【００４９】
まず、パターン制御部121は、パターンテーブル134を参照し、パターンテーブル134の中から１つの表示パターン10を選択し（ステップS11）、該選択した表示パターン10を表示入力部110に表示する（ステップS12）。これにより、認証情報を構成する６個の画像データ（認証画像データ）と、認証情報を構成しない１０個の画像データ（ダミー画像データ）と、で構成する表示パターン10を表示入力部110に表示することができる。
【００５０】
認証部122は、表示入力部110に表示パターン10が表示された場合に、認証情報の入力受付を開始する（ステップS13）。また、認証部122は、表示入力部110から入力される認証情報を監視し、認証を開始するか否かを判定する（ステップS14）。
【００５１】
ユーザは、ユーザ自身の記憶に基づき、表示入力部110に表示された表示パターン10を構成する画像データの中から少なくとも一対の画像データを選択する。ユーザ操作により選択された少なくとも一対の画像データは、ユーザの認証を許可する際に使用する認証情報として表示入力部110に入力される。
【００５２】
認証部122は、ユーザ操作により表示入力部110から予め定められた個数（本実施形態では、６個）の画像データの入力を受け付けた場合に、認証を開始すると判定したり、認証情報入力装置100に別途設置された認証開始ボタン（図示せず）が押下された場合に、認証を開始すると判定したりする。なお、認証開始ボタンを利用することで、入力すべき画像データの個数を第三者が判別できなくなるため、セキュリティを向上することができる。また、本実施形態では、固定の個数の画像データを入力するものとして説明したが、認証開始ボタンを利用することで、表示パターン10によって入力すべき画像データの個数を異ならせることもできる。
【００５３】
認証部122は、認証を開始する場合は（ステップS14/Yes）、表示入力部110から入力を受け付けた認証情報を構成する画像データに対応する画像IDを基に、認証画像グループテーブル132に記憶されている認証画像グループを参照し、認証情報を構成する画像データの中で同一の認証画像グループに属さない単独の画像データがあるか否かを照合する（ステップS15）。
【００５４】
認証画像グループは、グループIDと、画像IDと、を対応付けて管理しているため、認証部122は、認証情報を構成する画像データの画像IDの属する認証画像グループを特定し、連続する画像データに対応する画像IDが同じ認証画像グループに属するか否かを判定する。本実施形態では、１番目と２番目との一対の画像データの画像IDが同じ認証画像グループに属すか否かを判定し、３番目と４番目との一対の画像データの画像IDが同じ認証画像グループに属すか否かを判定し、５番目と６番目との一対の画像データの画像IDが同じ認証画像グループに属すか否かを判定する。
【００５５】
認証部122は、連続する画像データに対応する画像IDが同じ認証画像グループに属し、且つ、その同じ認証画像グループに属したと判断した組数がユーザ認証を許可する際に必要な組数である場合は、同一の認証画像グループに属さない単独の画像データがないため（ステップS16/No）、認証OKと判定し（ステップS17）、処理を終了する（End）。これにより、認証OKと判定した場合は、上述したステップS1から処理を開始するため、次回のユーザ認証時は、パターンテーブル134から新たな表示パターン10を選択し、該選択した新たな表示パターン10を表示入力部110に表示することになる。このため、認証OKの認証情報の入力操作時に第三者が認証情報を盗み見してしまった場合でも、次回のユーザ認証時には、新たな表示パターン10が表示されるため、認証情報の類推を困難にさせることができる。
【００５６】
また、連続する画像データに対応する画像IDが同じ認証画像グループに属さない場合、または、同じ認証画像グループに属したと判断した組数がユーザ認証を許可する際に必要な組数でない場合は、同一の認証画像グループに属さない単独の画像データがあるため（ステップS17/Yes）、認証NGと判定する（ステップS18）。この場合は、再び、同じ表示パターン10を表示入力部110に表示する（ステップS12）。これにより、認証OKの認証情報の入力操作時に第三者が認証情報を盗み見してしまった場合でも、その偶然盗み見た時と同じ表示パターン10が表示されるまで認証NGを繰り返す攻撃を防止することができる。
【００５７】
＜具体例＞
次に、図５、図６を参照しながら、ユーザ認証の具体例について説明する。
【００５８】
まず、ユーザは、図５（a）に示すように、複数の認証画像グループ（桃太郎グループ、子供グループ、職場仲間グループ、叔父叔母グループ）を認証画像グループテーブル132に登録する。桃太郎グループには、『猿、雉、犬』の画像IDを登録する。また、子供グループには、『長男、長女、次女』の画像IDを登録する。また、職場仲間グループには、『Ａ氏、Ｂ氏』の画像IDを登録する。また、叔父叔母グループには、『Ｓさん、Ｔさん』の画像IDを登録する。
【００５９】
次に、パターン制御部121は、ユーザ認証を許可する際に必要な組数（３組）の認証画像グループを認証画像グループテーブル132に記憶されている認証画像グループの中から選択する。そして、その選択した各認証画像グループに属している画像IDの中から一対（２個）の画像IDを各認証画像グループ毎にランダムに選択する。図５では、図５（a）に示す認証画像グループの中から桃太郎グループ、子供グループ、職場仲間グループの３組の認証画像グループを選択している。また、桃太郎グループからは、『猿、雉』の一対（２個）の画像IDを選択している。また、子供グループからは、『長男、長女』の一対（２個）の画像IDを選択している。また、職場仲間グループからは、『Ａ氏、Ｂ氏』の一対（２個）の画像IDを選択している。
【００６０】
また、表示パターン10を構成するために必要な残りの画像IDをダミー画像グループテーブル133に記憶されているダミー画像グループに属する画像IDや、上記処理で認証画像グループテーブル132から選択しなかった残りの認証画像グループに属している画像IDから選択する。但し、表示パターン10を構成するために必要な残りの画像IDを残りの認証画像グループに属している画像IDから選択する場合は、その残りの認証画像グループから１個の画像IDを選択する必要がある。図５では、図５（a）に示す祖父祖母グループに属している『Ｓさん』の１個の画像IDを選択している。
【００６１】
次に、上記選択した画像IDの表示位置を任意に決定し、該決定した表示位置に画像IDに対応する画像データを設定し、表示パターン10を生成する。これにより、図５（b）に示す表示パターン10を生成することができる。パターン制御部121は、上記生成した表示パターン10をパターンテーブル134に登録して記憶する。
【００６２】
次に、パターン制御部121は、パターンテーブル134から１つの表示パターン10を選択し、該選択した表示パターン10を表示入力部110に表示する。これにより、図６（a）に示す表示パターン10を表示入力部110に表示することができる。
【００６３】
ユーザは、ユーザ自身の記憶に基づき、表示入力部110に表示された表示パターン10を構成する画像データの中から、『猿、雉』の画像データが『桃太郎グループ』に属していると判断することができる。また、『長男、長女』の画像データが『子供グループ』に属していると判断することができる。また、『Ａ氏、Ｂ氏』の画像データが『職場仲間グループ』に属していると判断することができる。このため、ユーザは、図６（a）に示すように、ユーザ自身の記憶に基づき、『長男、長女、猿、雉、Ａ氏、Ｂ氏』の画像データを選択し、認証情報として表示入力部110に入力することができる。
【００６４】
認証部122は、表示入力部110から入力された認証情報（長男、長女、猿、雉、Ａ氏、Ｂ氏）を構成する各画像データの画像IDを基に、認証画像グループを参照し、認証情報を構成する画像データの中で同一の認証画像グループに属さない単独の画像データがあるか否かを照合する。この場合、『長男、長女』が子供グループに属しており、『猿、雉』が桃太郎グループに属しており、『Ａ氏、Ｂ氏』が職場仲間グループに属しているため、同一の認証画像グループに属さない単独の画像データがないため、認証OKと判定する。そして、次回のユーザ認証時は、パターンテーブル134から図６（b）に示す新たな表示パターン10を選択し、該選択した新たな表示パターン10を表示入力部110に表示する。このため、認証OKの認証情報の入力操作時に第三者が認証情報（長男、次女、猿、雉、Ｓさん、Ｔさん）を盗み見してしまった場合でも、次回のユーザ認証時には、図６（b）に示す新たな表示パターン10が表示されるため、認証情報の類推を困難にさせることができる。
【００６５】
また、図６（b）に示す表示パターン10が表示入力部110に表示された状態で第三者が『長男、ダミー、猿、雉、Ａ氏、ダミー』の画像データを選択したとする。但し、図６（b）に示す表示パターン10に対応する認証情報は、『長男、次女、猿、雉、Ｓさん、Ｔさん』が正解であり、表示入力部110から入力された認証情報を構成する画像データ（長男、ダミー、猿、雉、Ａ氏、ダミー）の中で、同一の認証画像グループに属さない単独の画像データ（長男、ダミー、Ａ氏、ダミー）があるため、認証NGと判定する。この場合、次回のユーザ認証時は、図６（b）と同じ表示パターン10を表示入力部110に表示するため、認証OKの認証情報の入力操作時に第三者が認証情報（長男、長女、猿、雉、Ａ氏、Ｂ氏）を盗み見してしまった場合でも、その偶然盗み見した時と同じ図６（a）に示す表示パターン10が表示されるまで認証NGを繰り返す攻撃を防止することができる。
【００６６】
＜本実施形態の認証情報入力装置100の作用・効果＞
このように、本実施形態の認証情報入力装置100は、ユーザ認証を許可する際に必要な組数（３組）の各々の認証画像グループに関連付けられた一対（２個）の画像データ （認証画像データ）（６個）と、それ以外の画像データ（ダミー画像データ）（１０個）と、で構成する表示パターン10を複数生成し、該生成した複数の表示パターン10をパターンテーブル134に登録して記憶する。次に、パターンテーブル134から１つの表示パターン10を選択し、該選択した表示パターン10を表示入力部110に表示する。これにより、ユーザの認証を許可する際に必要な組数（３組）の各々の認証画像グループに属す一対（２個）の認証画像データとそれ以外のダミー画像データとで構成する表示パターン10を表示入力部110に表示することができる。次に、表示入力部110に表示された表示パターン10を構成する画像データの中からユーザ操作により選択された少なくとも一対の画像データを、ユーザの認証を許可する際に使用する認証情報として表示入力部110に入力する。認証情報が表示入力部110から入力された場合に、その入力された認証情報を構成する各画像データの画像IDを基に、認証画像グループテーブル132に記憶されている認証画像グループを参照し、認証情報を構成する画像データの中で同一の認証画像グループに属さない単独の画像データがあるか否かを照合する。そして、単独の画像データがない場合は、認証OKと判定し、次回のユーザ認証時は、新たな表示パターン10を表示入力部110に表示する。また、単独の画像データがある場合は、認証NGと判定し、次回のユーザ認証時も同じ表示パターン10を表示入力部110に表示する。
【００６７】
本実施形態の認証情報入力装置100は、認証OKの場合は、新たな表示パターン10を表示するため、認証情報の入力時にユーザの手元や認証情報が入力された画面が第三者に見られてしまった場合でも、認証情報の類推を困難にさせることができる。
【００６８】
また、本実施形態の認証情報入力装置100は、認証情報を構成する認証画像データと、認証情報を構成しないダミー画像データと、で構成する表示パターン10を表示入力部110に表示し、その表示入力部110に表示された表示パターン10を構成する画像データの中からユーザ操作により順に選択された一対の画像データを、ユーザの認証を許可する際に使用する認証情報として表示入力部110に入力して、ユーザ認証を行うため、ユーザが簡易な操作で効率的に認証を行うことができる。
【００６９】
なお、上記実施形態では、表示入力部110に入力される認証情報を構成する画像データの総個数を一定（６個）として説明したが、認証情報を構成する画像データの総個数を８個、６個、４個のように可変にすることも可能である。これにより、表示パターン10に対して何個の画像データを選択すればよいかを可変にすることができ、認証情報を盗み見た第三者に対して総当たりの組合せ数を増やすこととなり、セキュリティを向上することができる。なお、認証情報を構成する画像データの総個数を可変にした場合でも、ユーザ認証時に、表示入力部110により入力された認証情報を構成する一対の画像データが同一の認証画像グループに属すか否かと、同一の認証画像グループに属すとされた一対の画像データの組数がユーザの認証を許可する際に必要な組数か否かと、の判定を行い、表示入力部110により入力された認証情報を構成する一対の画像データが同一の認証画像グループに属し、且つ、同一の認証画像グループに属すとされた一対の画像データの組数がユーザの認証を許可する際に必要な組数である場合に、ユーザの認証を許可するようにすれば良い。
【００７０】
（第２の実施形態）
次に、第２の実施形態について説明する。
【００７１】
第１の実施形態では、図２に示すように認証画像グループとダミー画像グループとを識別できる形で構成している。この場合、記憶部130内部のデータを解析されると、認証画像グループに属す画像データを特定されてしまうおそれがある。
【００７２】
第２の実施形態は、認証画像グループテーブル132やダミー画像グループテーブル133に記憶されている画像データの画像IDを全てハッシュ関数（HMACのような一方向関数）でハッシュ化しておく。これにより、認証画像グループテーブル132やダミー画像グループテーブル133に記憶されているハッシュ化した画像IDを、もとの画像IDに復元することができないため、認証情報が判別されるのを防止することができる。
【００７３】
本実施形態のように、ハッシュ化した画像IDを認証画像グループテーブル132に記憶して管理してユーザ認証を行う場合は、図７に示すように、表示入力部110から入力を受け付けた認証情報を構成する画像データに対応する画像IDをハッシュ関数（一方向性関数）でハッシュ化し、ハッシュ値を算出する（ステップS20）。そして、その算出したハッシュ値を基に、認証画像グループテーブル132に記憶されている認証画像グループを参照し、認証情報を構成する画像データの中で同一の認証画像グループに属さない単独の画像データがあるか否かを照合する（ステップS21）。
【００７４】
認証画像グループは、グループIDと、画像IDをハッシュ関数でハッシュ化したハッシュ値（hash（画像ID)）と、を対応付けて管理しているため、認証部122は、認証情報を構成する画像データのハッシュ値の属する認証画像グループを特定し、連続する入力画像データの属すグループが同じ認証画像グループか否かを判定する。また、同じ認証画像グループと判定した組数がユーザ認証を許可する際に必要な組数であるかを判定する。認証部122は、連続する入力画像データの属すグループが同じ認証画像グループであり、且つ、その同じ認証画像グループに属したと判断した組数がユーザ認証を許可する際に必要な組数である場合は、認証情報を構成する画像データの中で同一の認証画像グループに属さない単独の画像データがないため（ステップS17/No）、認証OKと判定し（ステップS18）、処理を終了する（End）。これにより、認証OKと判定した場合は、上述したステップS1から処理を開始するため、次回のユーザ認証時は、パターンテーブル134から新たな表示パターン10を選択し、該選択した新たな表示パターン10を表示入力部110に表示することになる。このため、認証OKの認証情報の入力操作時に第三者が認証情報を盗み見してしまった場合でも、次回のユーザ認証時には、新たな表示パターン10が表示されるため、認証情報の類推を困難にさせることができる。
【００７５】
また、連続する入力画像データの属すグループが同じ認証画像グループでない場合や、同じ認証画像グループに属したと判断した組数がユーザ認証を許可する際に必要な組数でない場合は、認証情報を構成する画像データの中で同一の認証画像グループに属さない単独の画像データがあるため（ステップS17/Yes）、認証NGと判定する（ステップS19）。この場合は、再び、同じ表示パターン10を表示入力部110に表示する（ステップS12）。これにより、認証OKの認証情報の入力操作時に第三者が認証情報を盗み見してしまった場合でも、その偶然盗み見た時と同じ表示パターン10が表示されるまで認証NGを繰り返す攻撃を防止することができる。
【００７６】
なお、画像テーブル131に登録されている画像データの数が少ない場合は、全ての画像データの画像IDをハッシュ化してハッシュ値を算出し、該算出したハッシュ値を基に、認証画像グループテーブル132に記憶されている認証画像グループを参照して検索することで、どの画像データが同一の認証画像グループに属しているかを短時間で解析することができてしまう。例えば、画像テーブル131に登録されている画像データの数が５００個の場合は、５００回のハッシュ計算で、どの画像データが同一の認証画像グループに属しているかを解析できてしまう。
【００７７】
このため、同一の認証画像グループに属す画像データの全ての２枚１組の組合せの画像IDを演算操作した値をハッシュ化してハッシュ値を算出し、該算出したハッシュ値を認証画像グループテーブル132に記憶することが好ましい。画像IDの演算操作は、例えば、画像IDの値番目の素数（2,3,5,7,11,13,17,19,23,29,・・・）の積などが考えられる。例えば、画像ID=5（素数11）と画像ID=10（素数29）とであれば、その積は、11*29=319となる。
【００７８】
なお、ユーザ認証を行う際は、１番目に選択された画像IDと２番目に選択された画像ID、３番目に選択された画像IDと４番目に選択された画像ID、５番目に選択された画像IDと６番目に選択された画像IDのように隣接する画像IDについて上記と同様に演算操作した値のハッシュ値を算出し、該算出したハッシュ値を基に、認証画像グループテーブル132に記憶されている認証画像グループを検索し、隣接する画像ID同士が同一の認証画像グループに属しているか否かを照合する。
【００７９】
これにより、上図のような場合に認証画像グループには、3C2+3C2+2C2+2C2=8個の値が記憶される。一方、画像テーブル131に登録されている画像データの数が１８個の場合でも、どの画像データが同一の認証画像グループに属しているのかを解析するためには、18C2=153回のハッシュ計算が必要になる。ダミー画像データが沢山あり、画像テーブル131に５００個の画像データが登録されていれば、500C2=124,750回のハッシュ計算が必要になる。このため、どの画像データが同一の認証画像グループに属しているかを解析し難くすることができる。
【００８０】
なお、上述した図７に示す処理動作では、認証を開始する場合に（ステップS14/Yes）、表示入力部110から入力を受け付けた認証情報を構成する各画像データに対応する画像IDをハッシュ化してハッシュ値を算出し（ステップS20）、その算出したハッシュ値を基に、照合処理を行うことにした（ステップS21）。
【００８１】
しかし、ユーザ操作により、表示入力部110に表示された表示パターン10を構成する画像データの中から１つの画像データが表示入力部110から選択される毎に、その選択された画像データに対応する画像IDをハッシュ化してハッシュ値を算出し、その算出したハッシュ値を基に、照合処理を行うことも可能である。この場合は、１番目に選択された画像IDと２番目に選択された画像ID、３番目に選択された画像IDと４番目に選択された画像ID、５番目に選択された画像IDと６番目に選択された画像IDのように、認証情報を構成する画像ID同士が、同一の認証画像グループに属しているか否かを照合し、表示入力部110から選択された画像データの中で同一の認証画像グループに属さない単独の画像データがあるか否かを照合する。そして、表示入力部110から選択された画像データの中で同一の認証画像グループに属さない単独の画像データがある場合は、認証NGと判定し、単独の画像データがない場合は、認証OKと判定する。このように、表示入力部110から１つの画像データが選択される毎に照合処理を行うことも可能である。
【００８２】
また、本実施形態では、認証画像グループテーブル132、ダミー画像グループテーブル133に画像IDをハッシュ化して記憶することで、記憶部130に記憶されている情報を解析しても解読できないようにした。しかし、ハッシュ化する方法以外でも各種情報を解読できないようにすることが可能である。例えば、表示パターン10を形成した後に各グループテーブル132,133に記憶した情報を廃棄し、各表示パターン10に対応する形で、認証OKとなる画像IDを暗号化して記憶部130に記憶することも可能である。
【００８３】
この暗号情報は、例えば、ペアとなる画像IDの積を計算し、昇順に連結した値のハッシュ値などにするとよい。具体的には、認証OKとなる画像IDが（Ｔ，Ｓ）のペアと、（Ｚ，Ｗ）のペアと、の２組だったと仮定すると、HMAC（Stringcat（Ｔ×Ｓ、Ｚ×Ｗ））を記憶すればよい。なお、Stringcat（）は、２つの値の文字列連結を表わす関数である。このようにすることで、入力された画像IDに対しても暗号情報を作成した時と同様に、順に２つずつの画像IDの積をとって、昇順に連結した値のハッシュ値を計算し、記憶部130に記憶された値と一致するか否かで照合処理を行うことができる。
【００８４】
（第３の実施形態）
次に、第３の実施形態について説明する。
【００８５】
第１、第２の実施形態は、図１に示す認証情報入力装置100単体でユーザ認証を行う場合について説明した。
【００８６】
第３の実施形態は、図８に示す認証情報入力装置100とサーバ装置200とでユーザ認証を行う場合について説明する。第３の実施形態の場合は、表示パターン10の登録処理や、認証処理をサーバ装置200側で行うことになる。以下、図８、図９を参照しながら、第３の実施形態について説明する。
【００８７】
＜認証システムのシステム構成例＞
まず、図８を参照しながら、本実施形態の認証システムのシステム構成例について説明する。
【００８８】
本実施形態の認証システムは、認証情報入力装置100とサーバ装置200とがネットワークNWを介して接続して構成する。ネットワークNWは、有線、無線を問わず、任意の通信形態が適用可能であり、認証情報入力装置100とサーバ装置200とは任意の接続形態で接続して双方向に情報通信を行う。
【００８９】
本実施形態の認証情報入力装置100は、表示入力部110と、制御部120と、通信部140と、を有して構成する。表示入力部110は、第１の実施形態と同様の機能を有する。制御部120は、表示入力部110に表示する表示パターン10の表示制御を行う。通信部140は、サーバ装置200と任意の通信形態で通信を行う。
【００９０】
本実施形態のサーバ装置200は、制御部220と、記憶部230と、通信部240と、を有して構成する。制御部220は、通信部240を介して認証情報入力装置100と接続し、認証情報入力装置100側の表示入力部110に表示する表示パターン10の表示制御を行う。また、表示入力部110からユーザ操作により入力された認証情報の認証制御を行う。本実施形態の制御部220は、パターン制御部221と、認証部222と、を有して構成する。パターン制御部221と認証部222との機能は、第１の実施形態と同様の機能を有する。通信部240は、認証情報入力装置100と任意の通信形態で通信を行う。記憶部230に格納されている画像テーブル231、認証画像グループテーブル232、ダミー画像グループテーブル233、パターンテーブル234は、第１の実施形態と同様である。
【００９１】
＜ユーザ認証時の処理動作例＞
次に、図９を参照しながら、ユーザ認証時の処理動作例について説明する。
【００９２】
サーバ装置200のパターン制御部221は、第１の実施形態と同様に、パターンテーブル234から１つの表示パターン10を選択し、該選択した表示パターン10を、通信部240を介して認証情報入力装置100に送信する（ステップA1、A2）。
【００９３】
認証情報入力装置100は、通信部140を介して表示パターン10を受信し、該受信した表示パターン10を表示入力部110に表示する。また、認証情報の入力受付を開始する（ステップA3）。これにより、認証情報入力装置100は、認証情報を構成する６個の画像データ（認証画像データ）と、認証情報を構成しない１０個の画像データ（ダミー画像データ）と、で構成する表示パターン10を表示入力部110に表示することができる。
【００９４】
ユーザは、ユーザ自身の記憶に基づき、表示入力部110に表示された表示パターン10を構成する画像データの中から画像データを選択する。ユーザ操作により選択された少なくとも一対の画像データは、ユーザの認証を許可する際に使用する認証情報として表示入力部110に入力される。
【００９５】
認証情報入力装置100は、ユーザ操作により表示入力部110から予め定められた個数（本実施形態では、６個）の画像データの入力を受け付けた場合に、認証を開始する（ステップA4/Yes）。また、認証情報入力装置100に別途設置された認証開始ボタン（図示せず）が押下された場合に、認証を開始する（ステップA4/Yes）。
【００９６】
認証情報入力装置100は、認証を開始する場合は（ステップA4/Yes）、表示入力部110から入力を受け付けた認証情報を、通信部140を介してサーバ装置200に送信する（ステップA5）。
【００９７】
サーバ装置200は、通信部240を介して認証情報を受信した場合に、認証部222は、受信した認証情報を基に、認証画像グループテーブル232に記憶されている認証画像グループを参照し、認証情報を構成する画像データの中で、同一の認証画像グループに属さない単独の画像データがあるか否かを照合する（ステップA6）。
【００９８】
認証部222は、単独の画像データがない場合は、認証OKと判定する。また、単独の画像データがある場合は、認証NGと判定する。認証部222は、上述した照合結果を、通信部240を介して認証情報入力装置100に送信する（ステップA7）。
【００９９】
＜本実施形態の認証システムの作用・効果＞
このように、本実施形態の認証システムを構成するサーバ装置200は、サーバ装置200側のパターンテーブル234に記憶されている表示パターン10を認証情報入力装置100側の表示入力部110に表示する。認証情報入力装置100は、表示入力部110に表示された表示パターン10の中からユーザ操作により選択された少なくとも１つの画像データを認証情報としてサーバ装置200に送信する。サーバ装置200は、認証情報入力装置100から受信した認証情報を基にユーザ認証を行う。
【０１００】
これにより、本実施形態の認証システムは、第１の実施形態と同様の効果が得られると共に、第１の実施形態のように認証情報入力装置100単体でユーザ認証を行うよりもセキュリティを更に向上させることができる。
【０１０１】
また、サーバ装置200側のパターンテーブル234の中から表示パターン10を選択し、該選択した表示パターン10を認証情報入力装置100側の表示入力部110に表示する。そして、表示入力部110に表示された表示パターン10の中からユーザ操作により選択された画像データを認証情報としてサーバ装置200が受信し、該受信した認証情報を基にユーザ認証を行う。このため、チャレンジ・アンド・レスポンスのような認証を行うことができるため、端末自体のなりすまし（端末上のプログラムのなりすましを含む）を防止することができる。
【０１０２】
なお、上述した図９に示すユーザ認証時の処理動作例は、図４に示す第１の実施形態のユーザ認証時の処理動作例をサーバ装置200と認証情報入力装置100とで行う場合について説明した。しかし、図７に示す第２の実施形態のユーザ認証時の処理動作例をサーバ装置200と認証情報入力装置100とで行うことも可能である。
【０１０３】
この場合は、図１０に示すように、認証情報入力装置100側は、入力を受け付けた認証情報を構成する各画像データのハッシュ値を算出し（ステップB5）、その算出した各画像データのハッシュ値をサーバ装置200側に送信することになる（ステップB6）。
【０１０４】
サーバ装置200側は、受信したハッシュ値を基に、認証画像グループテーブル232に記憶されている認証画像グループを参照し、認証情報を構成する画像データの中で、同一の認証画像グループに属さない単独の画像データがあるか否かを照合する（ステップB7）。
【０１０５】
認証部222は、単独の画像データがない場合は、認証OKと判定する。また、単独の画像データがある場合は、認証NGと判定する。認証部222は、上述した照合結果を、通信部240を介して認証情報入力装置100に送信する（ステップB8）。
【０１０６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１０７】
例えば、上述した実施形態では、表示パターン10は、図２に示すように、６個の認証画像データと、１０個のダミー画像データと、の合計１６個の画像データで構成した。しかし、この表示パターン10は一例であり、任意の個数の画像データで構成することが可能である。但し、表示パターン10は、ユーザ自身の記憶に基づき当該ユーザが識別可能な同一の認証画像グループに属している一対の認証画像データの組を、ユーザの認証を許可する際に必要な組数だけ少なくとも含んで構成する必要がある。
【０１０８】
また、上述した実施形態では、表示パターン10を表示する機能と、認証情報を構成する画像データを入力する機能と、を兼用した表示入力部110を例に説明した。しかし、表示パターン10を表示する機能（表示部）と、認証情報を構成する画像データを入力する機能（入力部）と、を別々に設けることも可能である。
【０１０９】
また、上述した本実施形態の認証情報入力装置100やサーバ装置200における制御動作は、ハードウェア、または、ソフトウェア、あるいは、両者の複合構成を用いて実行することも可能である。
【０１１０】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０１１１】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【０１１２】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０１１３】
また、本実施形態における認証情報入力装置100やサーバ装置200は、上記実施形態で説明した処理動作に従って時系列的に実行されるのみならず、処理を実行する装置の処理能力、あるいは、必要に応じて並列的にあるいは個別に実行するように構築することも可能である。
【符号の説明】
【０１１４】
１００    認証情報入力装置
１１０    表示入力部（表示手段、入力手段）
１２０、２２０    制御部
１２１、２２１    パターン制御部
１２２、２２２    認証部
１３０、２３０    記憶部
１３１、２３１    画像テーブル
１３２、２３２    認証画像グループテーブル（第１の記憶手段）
１３３、２３３    ダミー画像グループテーブル（第２の記憶手段）
１３４、２３４    パターンテーブル
１４０、２４０    通信部
２００    サーバ装置
ＮＷ    ネットワーク
【図１】
2014032556.tif 000003
【図２】
2014032556.tif 000004
【図３】
2014032556.tif 000005
【図４】
2014032556.tif 000006
【図５】
2014032556.tif 000007
【図６】
2014032556.tif 000008
【図７】
2014032556.tif 000009
【図８】
2014032556.tif 000010
【図９】
2014032556.tif 000011
【図１０】
2014032556.tif 000012